(57)【要約】      （修正有）【課題】キャディーバッグや衣服のポケットなどに入れて携行することができ、しかも、パタークラブとゴルフボールさえあればどこでもパターの練習をすることができるゴルフのパター・アプローチ練習用ターゲットを提供する。【解決手段】円板又は円板に近い形状の主部１を備え、当該主部１の上面に広告１０を表示する。パターやアプローチを練習するターゲットとして使用するものであるから、主部１はゴルフのホールとほぼ同程度の直径を有するのが好ましい。【選択図】図１
0003116394.tif 000002
【実用新案登録請求の範囲】
【請求項１】
円板又は円板に近い形状の主部（１）を備え、当該主部（１）の上面に広告（１０）を表示したことを特徴とするゴルフのパター・アプローチ練習用ターゲット。
【請求項２】
前記主部（１）はゴルフのホールとほぼ同程度の直径を有する、請求項１に記載のゴルフのパター・アプローチ練習用ターゲット。
【請求項３】
前記主部（１）はほぼ中央部に孔（１１）を有し、前記孔（１１）を通じて地中にさし込む鍔付きピン（２）を有する、請求項１又は２に記載のゴルフのパター・アプローチ練習用ターゲット。
【請求項４】
前記主部（１）にゴルフボールが当たったときの衝撃により音を発する鈴その多の共鳴体が取り付けられている、請求項１〜３のいずれかに記載のゴルフのパター・アプローチ練習用ターゲット。
【考案の詳細な説明】
【技術分野】
【０００１】
本考案は、ゴルフのパターやアプローチの練習をするときにホール（カップ）の代わりに使用されるゴルフのパター・アプローチの練習用ターゲットに関するものである。
【背景技術】
【０００２】
ゴルフのパター・アプローチの練習用器具は、使用場所の限定が少なくて持ち運びが容易であることが必要である。このような要請に応える練習具は種々提案されているが、その主なものは以下のとおりである。
例えば、傾斜面を有するマットの前記傾斜面にゴルフのホールと同じ大きさの仮想ホールを形成したもの（後記特許文献１）、マット状主体のほぼ中央部にゴルフのカップ（ホール）とほぼ等しい形状及び大きさの粘着ホール（内底部に粘着層を有するホール）を設けるとともに、使用時に剥がすことができる剥離紙により前記粘着ホールを塞いだもの（後記特許文献２）等々である。
【０００３】
しかし、前記例示のパター練習具その他の従来のパター練習用ターゲットは、パターの練習には有用ではあるが、いずれもキャディーバッグに付けたりゴルフウエアのポケット等に入れて持ち運びすることはできなかった。
例えば、ゴルフ場以外の場所で専らパターの練習のみに打ち込むのには適していても、スタート待ちのわずかな時間を利用してパターやアプローチの練習をするとか、家庭内や散歩の途中で適当な場所を見付けてパターやプローチの練習をするなどの場合には、使用するのに不向きであった。
【特許文献１】特開２００３−３２００６７号公報
【特許文献２】特開平９−７５４９５号公報
【考案の開示】
【考案が解決しようとする課題】
【０００４】
本考案が解決しようとする課題は、従来のパター練習用ターゲットがポケットなどに入れて携行することができない点であり、その目的の一つは、キャディーバッグに付けたり衣服のポケットなどに入れて携行することができ、しかも、パタークラブとゴルフボールさえあればどこでもパターの練習をすることができるゴルフのパター・アプローチ練習用ターゲットを提供することにある。
本考案の目的の他の一つは、表面に営業主体が選択する広告を表示することによって当該営業主体がその出費により広範なユーザにこれを提供し、特定の営業主体や商品の広告媒体として機能させることによって、広告の効果を一層高めることができるゴルフのパター・アプローチ練習用ターゲットを提供することにある。
【課題を解決するための手段】
【０００５】
本考案に係るゴルフのパター・アプローチ練習用ターゲットは、前記の課題を解決するため、円板又は円板に近い形状の主部１を備え、当該主部１の上面に広告１０を表示したことを最も主用な特徴としている。
本考案に係るゴルフのパター・アプローチ練習用ターゲットは、パターやアプローチの練習をするターゲットとして使用するものであるから、前記主部１はゴルフのホールとほぼ同程度の直径を有するのが好ましい。
【考案の効果】
【０００６】
本考案に係るゴルフのパター・アプローチ練習用ターゲットによれば、主部１は円板又は円板に近い形状であるので、キャディーバッグに付けたりゴルフウエアその他の衣服のポケットに入れて携行することができる。また、これを使用するときはターゲットを適当な場所に置き、パタークラブを使用して当該ターゲットに向かってゴルフボールを打つことにより、パターの方向性と強弱の程度を確かめることができる。
したがって、例えばゴルフ場でスタート待ちの時間を利用して、芝生上にこれを置いてパターやアプローチの練習をすることができるほか、パタークラブとボールを携行すれば、どこでも極めて手軽にパターやアプローチの練習をすることができる。
さらに、主部１が極めて単純な構成であって廉価で提供することができるとともに、上面には広告１０を表示するので、特定の営業主体がその製造販売の費用を広告宣伝費として負担することにより、各ユーザにはこれを無料で提供することができるほか、広告主体（特定の営業主体）の広告宣伝効果を高めることができる。
【考案を実施するための最良の形態】
【０００７】
以下本考案に係るゴルフのパター・アプローチ練習用ターゲットの好ましい実施形態の幾つかを説明する。
第１実施形態
図１は本考案に係るゴルフのパター・アプローチ練習用ターゲットの第１実施形態を示す斜視図であり、円板又は円板に近い形状の主部１の上面には、広告１０が表示されている。
主部１の材質は特に問わないが、この実施形態では、重量や摩擦抵抗を考慮してシリコンやポリ塩化ビニールその他の半硬質合成樹脂（例えばシリコン，ポリ塩化ビニール，アクリル，ウレタン，ＥＶＡ等）又はゴムが使用されている。広告１０は凹刻み状に表示されているが、凸刻み状でもよいし、あるいは、凸条ないし凹条の輪郭により表示したり、色彩によって表示するなど、容易に視認することができる態様であればそれらの表示形態は特に限定されない。
主部１の外形はゴルフのホールとほぼ同じである。
【０００８】
第１実施形態のパター練習用ターゲットは、前述のように構成されているので、ゴルフウエアその他の衣服のポケット等に入れて携行することができる。これを使用するときは、所定の位置にターゲットを置き、所望の位置からクラブを用いてボールをこのターゲットに向かって打ち、ボールがターゲットへ当たったとき（突き当たって停止した場合のみならず、例えば乗り越えたり接触して側方へそれた場合等を含む）の位置や勢いその他の状態により成功・不成功の判断をする。
パターの成功・不成功の判定はボールがターゲットに当たった状態から判断するわけで必ずしも厳正ではないが、使用の利便性を第一義的に優先したものであってその利便性は従来の各種器具には見られないものである。
【０００９】
以上の構成により、例えば、ゴルフ場におけるスタート前の芝生上で僅かな時間を利用してパターの方向性を確認するのに至便であるほか、携行には極めて便利であって、ボールとパタークラブさえあればどこでもパターやアプローチの練習をすることができる。
また、全体として極めて単純な構成であって廉価で提供することができるとともに、上面には広告１０を表示するので、特定の営業主体がその製造販売の費用を広告宣伝費として負担することにより、広範なユーザに対して無料で提供することができるほか、広告主体（特定の営業主体）の広告宣伝効果を高めることができる。
【００１０】
第２実施形態
図２は本考案に係るゴルフのパター・アプローチ練習用ターゲットの第２実施形態を示す図である。
円形の板からなる主部１の上面には、凸状の外輪１１とその内側の内輪１２とが刻設され、外輪１１と内輪１２との間には図示しない文字からなる広告（図示しない）を凸刻み状又は凹刻み状に表示し、内輪１２の内側には文字又は図形からなる別の表示物（図示しない）凸刻み状又は凹刻み状に表示している。
主部１の外周縁寄り位置には孔１３を形成し、この孔１３に鎖その他の紐３を取り付けるとともに、当該紐３を利用して吊り下げることができるように構成したり、あるいは、図示のように当該紐３に鈴その他の共鳴体４を取り付け、パターやアプローチの練習中に主部１へボールが当たったときに共鳴体４が共鳴するように構成している。ボールがターゲットに当たると共鳴体４が共鳴することにより、練習者に心理的満足感を与えることができる。
この実施形態のその他の構成や作用効果は、第１実施形態のパター練習用ターゲットとほぼ同様であるので、それらの説明は省略する。
【００１１】
第３実施形態
図３は本考案に係るゴルフのパター・アプローチ練習用ターゲットの第３実施形態を示す図である。
円形の板からなる主部１の上面には、例えば色彩又は凹凸表示により広告（図示しない）が表示され、中央部には座ぐり部１５を有する孔１４が形成されている。
そして、この孔１４には、使用するときに鍔２０付きのピン２を通して当該ピン２を地中に押し込み、主部１を地面に押し付けて安定させるように構成している。ピン２は、図示のように先端が鋭利になっていないのが安全上好ましい。
この実施形態のその他の構成や作用効果は、第１実施形態のパター・アプローチ練習用ターゲットとほぼ同様であるので、それらの説明は省略する。
【００１２】
第４実施形態
図４は本考案に係るゴルフのパター・アプローチ練習用ターゲットの第４実施形態を示す図である。
主部１は第２実施形態とほぼ同様に形成され、当該主部１の外周の一部には周方向へ張り出した突片１６が形成され、この突片１６の先端部には孔１７が形成されている。
この孔１７を利用して主部１を吊り下げることができるし、あるいは、図２のように前記孔１７に取り付けた鎖その他の紐３に鈴その他の共鳴体４を取り付け、パター練習中に主部１へボールが当たったときに共鳴体４が共鳴するように構成することもできる。
この実施形態のその他の構成や作用効果は、第２実施形態のパター・アプローチ練習用ターゲットとほぼ同様であるので、それらの説明は省略する。
【００１３】
第５実施形態
図５は本考案に係るゴルフのパター・アプローチ練習用ターゲットの第５実施形態を示す図である。
この実施形態において、主部１はステンレスその他の薄い金属板を円形かつ逆トレイ状に成形したものであり、このような構成により、主部１へボールが当たったときに金属音を発し、練習者に臨場感を持たせることができるようにしたものである。
【００１４】
本考案に係るパター・アプローチ練習用ターゲットは、前記した各実施形態に限定されるものではなく、実用新案登録請求の範囲の請求項１の記載範囲において、種々の変形形態を含むものである。
【図面の簡単な説明】
【００１５】
【図１】本考案に係るゴルフのパター・アプローチ練習用ターゲットの第一実施形態を示す斜視図である。
【図２】本考案に係るパター・アプローチ練習用ターゲットの第二実施形態を示す斜視図である。
【図３】本考案に係るパター・アプローチ練習用ターゲットの第三実施形態を示す斜視図である。
【図４】本考案に係るパター・アプローチ練習用ターゲットの第四実施形態を示す斜視図である。
【図５】本考案に係るパター・アプローチ練習用ターゲットの第五実施形態を示す斜視図である。
【符号の説明】
【００１６】
１  主部
１０  広告
１１  外輪
１２  内輪
１３，１７  孔
１４  孔
１５  座ぐり部
１６  突片
２  ピン
２０  鍔
３  鎖その他の紐
４  共鳴体
【図１】
0003116394.tif 000003
【図２】
0003116394.tif 000004
【図３】
0003116394.tif 000005
【図４】
0003116394.tif 000006
【図５】
0003116394.tif 000007